(57)【要約】【課題】カード状物体が従来に比べてより確実に把持されるとともに、簡素化された装置を提供する。【解決手段】装置は、第１カバー部、第２カバー部、及びそれらの間の背部を備える本体であって、第１及び第２カバー部が背部の両側にある開配置と、第１カバー部が第２カバー部の上面にある閉配置との間で折り畳み可能である本体と、本体に固定された装着アセンブリであって、本体が閉配置にある場合には第１カバー部と第２カバー部との間の水平配向にカード状物体を支持し、本体が開配置にある場合には第１カバー部と第２カバー部との両方に対し傾いた直立配向にカード状物体を支持するように構成された装着アセンブリとを備える。装着アセンブリは、カード状物体を支持する際にカード状物体を弾性的に把持するための弾性把持手段を備える。【選択図】図２
2016103022.tif 000002
【特許請求の範囲】
【請求項１】
カード状物体（例えば、クレジットカードサイズの物体）をユーザに提示する装置において、
第１カバー部、第２カバー部、及び前記第１カバー部と前記第２カバー部との間の背部を備える本体であって、前記第１カバー部と前記第２カバー部とが前記背部の両側にある開配置と、前記第１カバー部が前記第２カバー部の上面にある閉配置との間で折り畳み可能である本体と、
前記本体に固定された装着アセンブリであって、前記本体が前記閉配置にある場合には前記第１カバー部と前記第２カバー部との間の水平配向に前記カード状物体を支持し、前記本体が前記開配置にある場合には前記第１カバー部と前記第２カバー部との両方に対し傾いた直立配向に前記カード状物体を支持するように構成された装着アセンブリとを備える装置であって、
前記装着アセンブリは、カード状物体を支持する際に該カード状物体を弾性的に把持するための弾性把持手段を備えることを特徴とする装置。
【請求項２】
使用時には、前記弾性把持手段は、外力が加えられて互いに離間するまではカード状物体を保持するように構成された付勢力を働かせる、請求項１に記載の装置。
【請求項３】
前記装着アセンブリは、前記弾性把持手段によって弾性的に把持されるとき、カード状物体の縁部のみに係合するように構成されている、請求項１または２に記載の装置。
【請求項４】
前記装着アセンブリは、前記弾性把持手段によって弾性的に把持されるとき、カード状物体の１０％未満しか覆わないように構成されている、請求項３に記載の装置。
【請求項５】
前記弾性把持手段は、長尺状の弾性部材と、前記長尺状の弾性部材に沿って延びたスロットとを備え、前記スロットは、カード状物体の厚さ未満の幅（例えば、１．０ｍｍ未満）を有する、請求項１〜４のいずれか一項に記載の装置。
【請求項６】
前記背部は第１ヒンジによって前記第１カバー部に結合され、第２ヒンジによって前記第２カバー部に結合されており、前記長尺状の弾性部材は前記第１ヒンジと前記第２ヒンジとの間において前記背部に固定されている、請求項５に記載の装置。
【請求項７】
請求項１〜６のいずれか一項に記載の装置と、前記装置の前記装着アセンブリによって支持されたカード状物体（例えば、クレジットカードサイズの物体）とを備えるアセンブリ。
【発明の詳細な説明】
【技術分野】
【０００１】
本発明は、カード状物体をユーザに提示する装置に関する。カード状物体は、クレジットカードサイズの物体であり得るが、ポストカードサイズ（例えば、結婚式等の催事の招待状として相応しい）など、より大きくてもよく、ミニチュアキーリング／フォブカードなど、より小さくてもよい。
【背景技術】
【０００２】
カード状物体、特にクレジットカードサイズの物体は、クレジットカード、ポイントカード、ギフトカード／トークン、鍵の掛かった扉を通ってアクセスするために用いられる磁気スワイプカード等を含めて、また名刺も含む。本発明においては、このカード状物体の意図される用途は重要でない。むしろ、本発明において大切なのは、カード状物体を顧客等のユーザに対して、視覚に訴え、専門家らしく、且つ確実な方法により、大事な物として提示するということである。
【０００３】
本出願人は、図１に示す装置のような、クレジットカードサイズの物体等のカード状物体をユーザに提示する、新たな装置を開発した。装置１０は、カード状本体１２と、カード状本体１２に固定され、カード状物体（図示なし）を支持するための装着アセンブリ１４とを備える。カード状本体１２は、第１カバー部１６、第２カバー部１８、及び第１カバー部１６と第２カバー部１８との間の背部２０を備える。カード状本体１２は、第１カバー部１６と第２カバー部１８とが背部２０の両側にある開配置（図示されているような）と、第１カバー部１６が第２カバー部１８の上面にある閉配置との間で折り畳み可能である。装着アセンブリ１４は、カード状物体を受容するポケット２２を形成し、本体１２が閉配置にある場合には第１カバー部１６と第２カバー部１８との間の水平配向にカード状物体を支持し、本体１２が開配置にある場合には第１カバー部１６と第２カバー部１８との両方に対し傾いた直立配向にカード状物体を支持するように構成された「ポップアップ式」の設計を有する。カード状物体は、本体が開配置にある場合には一方のカバー部に対しては最大約１２０度の角度に（また他方のカバー部に対しては余角に）傾けられてよい。本出願人は、このような装置の設計を改善するよう試みた。
【先行技術文献】
【特許文献】
【０００４】
【特許文献１】登録共同体意匠第００１３８４９４５−０００１号公報
【発明の概要】
【発明が解決しようとする課題】
【０００５】
本発明の目的は、カード状物体が従来に比べてより確実に把持されるとともに、簡素化された装置を提供することにある。
【課題を解決するための手段】
【０００６】
本発明においては、カード状物体（例えば、クレジットカードサイズの物体）をユーザに提示する装置において、第１カバー部、第２カバー部、及び前記第１カバー部と前記第２カバー部との間の背部を備える本体であって、前記第１カバー部と前記第２カバー部とが前記背部の両側にある開配置と、前記第１カバー部が前記第２カバー部の上面にある閉配置との間で折り畳み可能である本体と、前記本体に固定された装着アセンブリであって、前記本体が前記閉配置にある場合には前記第１カバー部と前記第２カバー部との間の水平配向に前記カード状物体を支持し、前記本体が前記開配置にある場合には前記第１カバー部と前記第２カバー部との両方に対し傾いた直立配向に前記カード状物体を支持するよ
うに構成された装着アセンブリとを備える装置であって、前記装着アセンブリは、カード状物体を支持する際に該カード状物体を弾性的に把持するための弾性把持手段を備えることを特徴とする装置が提供される。
【０００７】
本出願人は、前記弾性把持手段によって、クレジットカードサイズの物体等のカード状物体が従来に比べてより確実に把持されるばかりか、係る装着の装置が簡素化されることを認識するに至った。かくして、前記弾性把持手段は、外力が加えられて互いに離間するまではカード状物体を保持するように構成された付勢力を働かせてもよい。該付勢力は、例えば、前記本体が逆さまにされて前記閉配置から前記開配置に広げられる場合、カード状物体がその自重の下に前記装着アセンブリから意図せず分離することを妨げるのに十分であってよい。さらに、前記装着アセンブリは、前記弾性把持手段によって弾性的に把持されるとき、カード状物体の縁部のみに係合するように構成されてもよい。前記縁部はカード状物体の一つの縁から５ｍｍ未満、例えば約２ｍｍしか延びていないでよい。このようにして、前記装着アセンブリは「ロープロファイル」を有しており、前記装着アセンブリによって支持されるときにカード状物体の１０％未満、場合によっては５％未満しか覆わない。このような「ロープロファイル」は、前記本体が前記開配置にある場合に、前記装着アセンブリによって支持されたクレジットカードサイズの物体（例えば、クレジットカードサイズの物体）の９０％以上、場合によっては９５％以上が視認できることになるので、非常に好ましい場合がある。
【０００８】
前記弾性把持手段は長尺状の弾性部材と、前記長尺状の弾性部材に沿って延びたスロットとを備える。前記スロットは、クレジットカードサイズの物体のようなカード状物体の厚さ未満の幅（例えば、１．０ｍｍ未満）を有する。前記スロットは一対の顎部を形成してもよく、この顎部は、曲がって開くとともに、前記装着アセンブリによって支持されているカード状物体の対向面の周りを挟むように構成されている。前記長尺状の弾性部材は前記本体の前記背部に固定されてもよい（例えば、接着剤によって）。前記背部は剛直であってもよいし、第１ヒンジによって前記第１カバー部に固定され、第２ヒンジによって前記第２カバー部に固定されてもよい。前記第１ヒンジ及び前記第２ヒンジは、前記長尺状の弾性部材の幅以上の距離の分だけ間隔を空けて設けられてもよい。
【図面の簡単な説明】
【０００９】
【図１】本発明を具体化したクレジットカードサイズの物体を提示するための従来技術の装置を示す斜視図。
【図２】本発明を具体化したクレジットカードサイズの物体を提示するための装置を示す斜視図。
【図３】図２に示す特徴の詳細を示す拡大図。
【図４】使用時における図２の装置を示す概略的な一部端面図。
【発明を実施するための形態】
【００１０】
本発明の一実施形態について、例として、添付の図面を参照して述べる。
図２は、本発明を具体化したクレジットカードサイズの物体の形態による自立支持式のカード状物体をユーザに提示するための装置５０を示す。装置５０は、硬質のカードから形成された本体５２と、本体５２に固定され、クレジットカードサイズの物体（図示なし）を支持するための装着アセンブリ５４とを備える。本体５２は、第１カバー部５６、第２カバー部５８、及び第１カバー部５６と第２カバー部５８との間の背部６０を備える。本体５２は、第１カバー部５６と第２カバー部５８とが背部６０の両側にある開配置（図示されているような）と、第１カバー部５６が第２カバー部５８の上面にある閉配置との間で折り畳み可能である。装着アセンブリ５４は、本体５２が閉配置にある場合には第１カバー部５６と第２カバー部５８との間の水平配向にクレジットカードサイズの物体を支持し、本体５２が開配置にある場合には第１カバー部５６と第２カバー部５８との両方に
対し傾いた直立配向（例えば、最大９０度の角度）にクレジットカードサイズの物体を支持するように構成されている。装着アセンブリ５４は、クレジットカードサイズの物体を支持する際に該クレジットカードサイズの物体を弾性的に把持するよう構成されている長尺状の弾性部材７０を備える。このようにして、クレジットカードサイズの物体は、解放されるには装着アセンブリ５４から引っ張られる必要があり、装置５０が逆さまにされても簡単には落下することはない。
【００１１】
図２及び図３に示す通り、長尺状の弾性部材７０は、背部６０上に装着され（例えば、接着剤によって）、自身の長さに沿って延びるスロット７２を備える。スロット７２の幅はクレジットカードサイズの物体の厚さ未満であり、クレジットカードサイズの物体はスロット７２において締まり嵌めとなる。スロット７２は一対の顎部７４，７５を形成し、この一対の顎部７４，７５は、それらの間のクレジットカードサイズの物体に挟持力を加えるようにクレジットカードサイズの物体がスロット７２に押し込められるに連れて曲がって開く。スロット７２は５ｍｍ未満の深さ、例えば、約２ｍｍの深さしか有しない。このようにして、長尺状の弾性部材７０は、顎部７４，７５によって挟持されているクレジットカードサイズの物体の縁部のみを係合することができる。つまり、装着アセンブリ５４によって支持され、且つ本体５２が開配置にある場合に、クレジットカードサイズの物体の９０％以上、場合によっては９５％以上が視認できる。
【００１２】
図４は、装着アセンブリ５４がクレジットカードサイズの物体８０を支持している状態にある、使用時における装置５０を概略的に示す。背部６０は、第１ヒンジ８２（例えば、本体５２の第１の折り目）によって第１カバー部５６に結合され、第２ヒンジ８４（例えば、本体５２の第２の折り目）によって第２カバー部５８に結合されている。第１ヒンジ８２及び第２ヒンジ８４は、長尺状の弾性部材７０の幅Ｗよりも長い距離Ｘの分だけ間隔を空けて設けられている。このようにして、第１カバー部５６及び第２カバー部５８は、本体５２が開配置から閉配置に折りたたまれるときに、長尺状の弾性部材７０と衝突することなく、背部６０に対してヒンジ８２、８４の周囲を回動可能である。
【図１】
2016103022.tif 000003
【図２】
2016103022.tif 000004
【図３】
2016103022.tif 000005
【図４】
2016103022.tif 000006